(57)【要約】【課題】上下直線状に昇降する吊棚本体を備えた昇降棚において、上下端における吊棚本体の姿勢の安定性を向上させた昇降棚を提供する。【解決手段】本発明にかかる昇降棚の代表的な構成は、キャビネットと、キャビネットに上下ガイド手段を介して上下直線状に昇降するように付設された吊棚本体と、キャビネットに取り付けられ先端部が手前へ膨出する円弧状軌跡を描いて上下揺動可能な左右のアーム部材と、吊棚本体の左右側板に略水平方向に揺動可能に取り付けられアーム部材に回転可能に連結された揺動板と、揺動板から下方に延伸して取り付けられた取手アームとを備え、左右のアーム部材が円弧状軌跡を描きつつ上下揺動するのに連動して吊棚本体が上下直線状に昇降する昇降棚において、前記吊棚本体の移動端において取手アームの移動を係止するロック手段を備えたことを特徴とする。【選択図】図４
2014097154.tif 000002
【特許請求の範囲】
【請求項１】
キャビネットと、
該キャビネットに上下ガイド手段を介して上下直線状に昇降するように付設された吊棚本体と、
前記キャビネットに取り付けられ先端部が手前へ膨出する円弧状軌跡を描いて上下揺動可能な左右のアーム部材と、
前記吊棚本体の左右側板に略水平方向に揺動可能に取り付けられ前記アーム部材に回転可能に連結された揺動板と、
前記揺動板から下方に延伸して取り付けられた取手アームとを備え、
左右の前記アーム部材が円弧状軌跡を描きつつ上下揺動するのに連動して前記吊棚本体が上下直線状に昇降する昇降棚において、
前記吊棚本体の移動端において前記取手アームの移動を係止するロック手段を備えたことを特徴とする昇降棚。
【請求項２】
前記ロック手段はキャッチ式であることを特徴とする請求項１に記載の昇降棚。
【請求項３】
前記アーム部材は、上方においては鉛直上方よりも奥側まで揺動可能であり、下方においては鉛直下方よりも奥側まで揺動可能であることを特徴とする請求項１または２に記載の昇降棚。
【発明の詳細な説明】
【技術分野】
【０００１】
本発明は上下直線状に昇降する吊棚本体を備えた昇降棚に関する。
【背景技術】
【０００２】
従来から、キッチンの上方に設置される吊戸棚の一種として、吊棚本体が昇降する、いわゆる昇降棚が提供されている。昇降棚としては特許文献１に示すように、吊棚本体がリンク機構によって手前側に回動しながら下降するものが知られている。
【０００３】
また特許文献２には、上下直線状に昇降する吊棚本体を備えた昇降棚が提案されている。特許文献２によれば、吊棚本体を下方へ出した使用状態としたままでも、キャビネットの下方手前の作業空間を充分に確保することができるため、吊棚本体から物品を出し入れしながら、手前の作業台等で作業を行うことができ至便であると述べている。
【先行技術文献】
【特許文献】
【０００４】
【特許文献１】特開２００３−２４１５２号公報
【特許文献２】特許４８０１４５４号公報
【発明の概要】
【発明が解決しようとする課題】
【０００５】
しかしながら吊棚本体が上方にあるとき、吊棚本体の荷重および収納物の重量がかかっているため、より安定して姿勢を保持する必要がある。またより軽い力で昇降させるために吊棚本体にはバネなどの弾性体によって付勢力をかけるが（アシスト機能）、このアシスト機能を十分に働かせると下方にあるときの姿勢の安定性が損なわれ、吊棚本体が下端よりも浮き上がってしまうおそれがある。
【０００６】
そこで本発明は、上下直線状に昇降する吊棚本体を備えた昇降棚において、上下端における吊棚本体の姿勢の安定性を向上させた昇降棚を提供することを目的としている。
【課題を解決するための手段】
【０００７】
上記課題を解決するために、本発明にかかる昇降棚の代表的な構成は、キャビネットと、キャビネットに上下ガイド手段を介して上下直線状に昇降するように付設された吊棚本体と、キャビネットに取り付けられ先端部が手前へ膨出する円弧状軌跡を描いて上下揺動可能な左右のアーム部材と、吊棚本体の左右側板に略水平方向に揺動可能に取り付けられアーム部材に回転可能に連結された揺動板と、揺動板から下方に延伸して取り付けられた取手アームとを備え、左右のアーム部材が円弧状軌跡を描きつつ上下揺動するのに連動して吊棚本体が上下直線状に昇降する昇降棚において、前記吊棚本体の移動端において取手アームの移動を係止するロック手段を備えたことを特徴とする。
【０００８】
上記構成によれば、吊棚本体の移動端において取手アームの移動を係止することにより、ひいてはアーム部材の揺動を係止し、吊棚本体の姿勢を保持することができる。したがって上下端における吊棚本体の姿勢の安定性を向上させることができる。
【０００９】
ロック手段はキャッチ式であることが好ましい。これにより使用者の操作としては取手アームに少しの力を加えるだけで係止を解除し、連続して吊棚本体の昇降動作を行うことができるため、簡便に操作をすることができる。
【００１０】
アーム部材は、上方においては鉛直上方よりも奥側まで揺動可能であり、下方においては鉛直下方よりも奥側まで揺動可能であることが好ましい。
【００１１】
これにより、吊棚本体の姿勢を保持するに際して、ロック手段の係止力だけでなく、上方においては重力を利用することができ、下方においてはアシスト機能の付勢力を利用することができるため、より確実に姿勢を保持することができる。
【発明の効果】
【００１２】
本発明によれば、上下直線状に昇降する吊棚本体を備えた昇降棚において、上下端における吊棚本体の姿勢の安定性を向上させた昇降棚を提供することができる。
【図面の簡単な説明】
【００１３】
【図１】吊棚本体を収納した状態を示す図である。
【図２】吊棚本体を引き出す途中の状態を示す図である。
【図３】吊棚本体を開放した状態を示す図である。
【図４】昇降機構を説明する側面図である。
【図５】取手アームを係止する構造を説明する図である。
【発明を実施するための形態】
【００１４】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１５】
図１から図３は本実施形態にかかる昇降棚を説明する立体図であって、図１は吊棚本体を収納した状態を示す図、図２は吊棚本体を引き出す途中の状態を示す図、図３は吊棚本体を開放した状態を示す図である。図４は昇降機構を説明する側面図である。
【００１６】
図１に示す昇降棚１００は、箱形のキャビネット１１０に対して吊棚本体２００が上下直線状に昇降するように付設されている。キャビネット１１０は、背面が不図示の壁面に固定設置され、手前側および下方が開口している。キャビネット１１０の手前側の開口面１１２には観音開きの前扉１２０が取り付けられている。なお図１では、内部構成を示すために、右側の前扉およびキャビネット１１０の右側面の記載を省略している。キャビネット１１０の下方の開口面１１４は開放したままであり、この開口面１１４から吊棚本体２００が昇降する。
【００１７】
吊棚本体２００は、キッチンの天板上に置かれる物品との衝突をさけるため、キャビネットの高さを全て利用する高さの吊棚本体２００を用意することは難しい。しかし、そうすると昇降棚１００の上部には隙間が出来てしまう。そこで限られたキッチン空間を有効に活用するために、昇降棚１００の内部で、吊棚本体２００の最上位置より上に棚板１１６を設けている。棚板１１６の上には、買い置きしておくものや、季節性の高い物など出し入れ頻度の低いものを収納するために簡便である。そして、吊棚本体２００には使用頻度の高い食器など収納し、体を伸ばしたり踏み台を持ってきたりといった手間をかけることなく出し入れできるというように使い分けをすることで、使用頻度に応じた収納空間の効率的利用が達成できるようになる。
【００１８】
吊棚本体２００は、左右に配置された側板２１０、２１２と、底板２１４、左右の側板２１０、２１２の上部を連結するフレーム２１６、２１８によって、収納スペースを構成している。左右の側板２１０、２１２の後方には上下方向に延びるガイド部２８０が設けられていて、キャビネット１１０に固定された上下レール２８２と組み合わされる。これら上下レール２８２とガイド部２８０からなる上下ガイド手段によって、吊棚本体２００は上下直線状に昇降する。
【００１９】
次に昇降機構について説明する。本実施形態において昇降機構は左右対称になっている平行リンク機構であるが、以下の説明では片側のみについて部材を挙げて説明する。
【００２０】
吊棚本体２００の下方には、幅方向に延びる取手アーム２２０が設けられている。取手アーム２２０はアーム取付部２２４および腕部２２６を介して揺動板２２８に連結されている。換言すれば、取手アーム２２０は揺動板２２８から下方に延伸して取り付けられている。腕部２２６は左右の側板２１０、２１２の外側を通り、上下方向に延びている。左右の側板２１０、２１２の上部外側には略水平方向のレール２３０が形成されていて、揺動板２２８はレール２３０に沿って吊棚本体２００の左右側板２１０、２１２の外壁面に略水平方向に揺動可能に取り付けられている。
【００２１】
図２および図４（ｂ）によく表れているように、揺動板２２８は第１アーム部材２３２に連結されている。第１アーム部材２３２は、揺動板２２８と反対側の端にある軸２３２ａによってキャビネット１１０に固定された取付部材１３０に取り付けられて、先端部が手前へ膨出する円弧状軌跡を描いて上下揺動可能となっている。以上の構成から、取手アーム２２０を前後方向に動かすと、揺動板２２８が前後方向に移動し、これに伴って第１アーム部材２３２が円弧状軌跡を描きつつ上下揺動するため、吊棚本体２００を上下直線状に昇降させることができる。
【００２２】
図４に示されているように、取付部材１３０には、手前側方向および奥側方向の衝撃を緩和する２本のダンパ２４０、２４２が設けられている。２本のダンパ２４０、２４２の移動子には第２アーム部材２３４が取り付けられ、第２アーム部材２３４は第３アーム部材２３６によって第１アーム部材２３２に連結されている。したがって第１アーム部材２３２が上の揺動端にあるときはダンパ２４０が作用し（図４（ａ）参照）、第１アーム部材２３２が下の揺動端にあるときはダンパ２４２が作用して（図４（ｃ）参照）、吊棚本体２００の移動端における衝撃や騒音を緩和することができる。
【００２３】
また取付部材１３０には渦巻きバネ２４４が収容されていて、第４アーム部材２４６、第５アーム部材２４８を介して第１アーム部材２３２に連結され、第１アーム部材２３２を上方に押し上げる方向に付勢している。これにより吊棚本体２００および収納物の荷重を軽減し、使用者が吊棚本体２００を収納する際の操作をアシストすることができる。またアシスト機能としては、図３に示すように、キャビネット１１０と吊棚本体２００とを連結する引張バネ２５０も設けている。
【００２４】
図５は取手アームを係止する構造を説明する図である。図５（ａ）に示すように、取手アーム２２０のアーム取付部２２４の内側にはキャッチ部材２５４が設けられている。一方、図５（ｂ）に示すように、左右の側板２１０、２１２の下部外壁面には略水平方向にキャッチ部材２５４が通るための溝２５６が形成されている。溝２５６の奥側の端には、キャッチ部材２５４と係合する槍形状のキーパー２５８が設けられている。これらキャッチ部材２５４とキーパー２５８は、取手アーム２２０のロック手段を構成する。
【００２５】
上記構成によれば、図４（ａ）（ｃ）に示すように、吊棚本体２００が上下の移動端にあるときは、キャッチ部材２５４とキーパー２５８が係合して、取手アーム２２０の移動を係止する。図４（ｂ）に示すように吊棚本体２００を移動させている間は、キャッチ部材２５４とキーパー２５８は離れているため、移動を阻害することはない。このように吊棚本体２００の移動端において取手アーム２２０の移動を係止することにより、ひいては第１アーム部材２３２の揺動を係止し、吊棚本体２００の姿勢を保持することができる。したがって上下端における吊棚本体２００の姿勢の安定性を向上させることができる。
【００２６】
またロック手段であるキャッチ部材２５４、キーパー２５８がキャッチ式であることにより、使用者の操作としては取手アーム２２０に少しの力を加えるだけで係止を解除し、連続して吊棚本体の昇降動作を行うことができるため、簡便に操作をすることができる。このとき力の方向が変わらないため、ロック手段があることに対して事前に認識しておく必要がなく、簡便かつ円滑に操作を行うことができる。
【００２７】
なお本発明においては、吊棚本体の移動を係止するロック手段として、取手アームの移動を係止するよう構成している。ここで、第１アーム部材２３２や吊棚本体２００をロックするように構成しても、同様の作用効果がえられるようにも考えられる。しかしながら昇降棚においてリンク機構の各部材はさほどの剛性やアライメントを有していないため、使用者が力を加える取手アームから離れるほどに力を入れにくいという問題がある。例えば吊棚本体を同様のロック手段によって係止しようとした場合、取手アームを押し込んでも係止させにくく、また取手アームを引いても係止を解除させづらいことになる。したがって上記のように、ロック手段によって取手アーム２２０を直接係止するように構成することが好ましい。
【００２８】
また図４（ａ）に示すように、第１アーム部材２３２は、上方においては鉛直上方よりも角度αだけ奥側まで揺動可能である。また下方においても同様に、鉛直下方よりも角度βだけ奥側まで揺動可能である。αおよびβは、例えば３度程度が好ましい。これにより、吊棚本体２００の姿勢を保持するに際して、ロック手段の係止力だけでなく、上方においては重力を利用することができ、下方においてはアシスト機能の付勢力を利用することができるため、より確実に姿勢を保持することができる。
【００２９】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００３０】
本発明は上下直線状に昇降する吊棚本体を備えた昇降棚として利用することができる。
【符号の説明】
【００３１】
１００…昇降棚、１１０…キャビネット、１１２…開口面、１１４…開口面、１１６…棚板、１２０…前扉、１３０…取付部材、２００…吊棚本体、２１０…側板、２１２…側板、２１４…底板、２１６…フレーム、２１８…フレーム、２２０…取手アーム、２２４…アーム取付部、２２６…腕部、２２８…揺動板、２３０…レール、２３２…第１アーム部材、２３２ａ…軸、２３４…第２アーム部材、２３６…第３アーム部材、２４０…ダンパ、２４２…ダンパ、２４４…渦巻きバネ、２４６…第４アーム部材、２４８…第５アーム部材、２５０…引張バネ、２５４…キャッチ部材、２５６…溝、２５８…キーパー、２８０…ガイド部、２８２…上下レール
【図１】
2014097154.tif 000003
【図２】
2014097154.tif 000004
【図３】
2014097154.tif 000005
【図４】
2014097154.tif 000006
【図５】
2014097154.tif 000007